(57)【要約】【課題】未加入者等による光通信サービスの不正利用を防ぐことが可能な光ローゼットを提供する。【解決手段】ユーザ側光コネクタが挿抜可能な挿抜口１４を有するアダプタ１３を内蔵するハウジング１１と、アダプタ３１内に出没可能なロックピン４６を有し、アダプタ３１の挿抜口１４からユーザ側光コネクタが引き抜かれることによりロックピン４６をアダプタ３１内に突出させて挿抜口１４に対するユーザ側光コネクタの挿入を禁止するロック機構４１と、ロック機構４１のロックピン４６をアダプタ３１内から退避させてユーザ側光コネクタの挿入の禁止状態を解除させるロック解除部材とを備える。【選択図】図３
2012185366.tif 000002
【特許請求の範囲】
【請求項１】
光コネクタが挿抜可能な挿抜口を有するアダプタが内蔵されたハウジングと、
前記アダプタ内に出没可能なロック部材を有し、前記アダプタの前記挿抜口から前記光コネクタが引き抜かれることにより前記ロック部材を前記アダプタ内に突出させて前記挿抜口に対する前記光コネクタの挿入を禁止するロック機構と、
前記ロック機構の前記ロック部材を前記アダプタ内から退避させて前記光コネクタの挿入の禁止状態を解除させるロック解除部材とを備えていることを特徴とする光ローゼット。
【請求項２】
請求項１に記載の光ローゼットであって、
前記ロック部材は、付勢部材によって前記アダプタ内へ向かって付勢され、
前記ロック解除部材は、前記ハウジングに形成された挿し込み孔に挿抜されるロック解除片を有し、
前記ロック解除片は、前記挿し込み孔への挿入方向後方へ向かって次第に前記アダプタから離間する方向へ傾斜したテーパ部を有し、
前記ロック部材は、前記挿し込み孔へ挿入される前記ロック解除片のテーパ部が摺接することにより前記付勢部材の付勢力に抗して前記アダプタから離間する方向へ移動されて前記アダプタ内から退避されることを特徴とする光ローゼット。
【請求項３】
請求項１に記載の光ローゼットであって、
前記ロック部材は、付勢部材によって前記アダプタへ向かって付勢され、
前記ロック解除部材は、前記付勢部材の付勢力に抗して前記アダプタから離間する方向へ移動されて前記アダプタ内から退避された前記ロック部材に係合可能な係合部を有し、
前記ロック解除部材は、前記係合部が前記ロック部材に係合しない非係合位置と、前記係合部が前記ロック部材に係合する係合位置との間でスライド可能に前記ハウジングに支持されていることを特徴とする光ローゼット。
【発明の詳細な説明】
【技術分野】
【０００１】
本発明は、光通信ネットワークにおけるユーザ宅に設置される光ローゼットに関する。
【背景技術】
【０００２】
近年、光ケーブルを用いたネットワークとして、加入者宅まで光ファイバを直接引き込むＦＴＴＨ（Fiber To The Home）という形態が採用されている。ＦＴＴＨでは、光ケーブルから分岐されたドロップケーブルが加入者宅に引き込まれ、このドロップケーブルが加入者宅に設置された光ローゼットに接続される。
【０００３】
この光ローゼットとして、ローゼット本体を形成するベース板の上面略中央に、二つの光コネクタ相互を接続するためのトンネル状のコネクタハウジングを一体形成し、コネクタハウジングの開口部が閉蓋可能となるよう下蓋を備え、ローゼット本体のベース板に対し、ワンタッチ着脱方式の加入者側カバーと、工具使用で取り外し可能な嵌合方式の局側カバーとを備えたものが知られている（例えば、特許文献１参照）。
【０００４】
また、出力用光ケーブルとコネクタソケットとを収納するために、コネクタソケット収納部、出力用光ケーブル案内部、出力用光ケーブル抑え部が形成された光ローゼットも知られている（例えば、特許文献２参照）。
【先行技術文献】
【特許文献】
【０００５】
【特許文献１】特開２００８−２３３４６６号公報
【特許文献２】特開２００８−２８７０８１号公報
【発明の概要】
【発明が解決しようとする課題】
【０００６】
ところで、集合住宅等での光通信ネットワークでは、転居に伴う光通信サービスの解約と再契約の頻度が高い。したがって、ユーザ宅側光受信器（ＯＮＵ：Optical Network Unit）の撤去と再開通工事の省力化を図るため、光ローゼットは、光コネクタの挿抜が容易な構造とされ、ユーザ宅内で局側光コネクタとユーザ側光コネクタの接続及び解除が行われるようになっている。
【０００７】
このため、特に、光スプリッタで光ケーブルを分岐させて各ユーザ宅へ光ファイバケーブルを引き込むＰＯＮ（Passive Optical Network）方式では、解約者または未加入者が、ＦＴＴＨの解約後に残された光ローゼットや加入者宅の光ローゼットへ光コネクタを接続することにより、比較的容易にインターネットサービス等の光通信サービスが不正に受けられてしまうおそれがあった。
【０００８】
本発明の目的は、未加入者等による光通信サービスの不正利用を防ぐことが可能な光ローゼットを提供することにある。
【課題を解決するための手段】
【０００９】
上記課題を解決することのできる本発明の光ローゼットは、光コネクタが挿抜可能な挿抜口を有するアダプタが内蔵されたハウジングと、
前記アダプタ内に出没可能なロック部材を有し、前記アダプタの前記挿抜口から前記光コネクタが引き抜かれることにより前記ロック部材を前記アダプタ内に突出させて前記挿抜口に対する前記光コネクタの挿入を禁止するロック機構と、
前記ロック機構の前記ロック部材を前記アダプタ内から退避させて前記光コネクタの挿入の禁止状態を解除させるロック解除部材とを備えていることを特徴とする。
【００１０】
本発明の光ローゼットにおいて、前記ロック部材は、付勢部材によって前記アダプタ内へ向かって付勢され、
前記ロック解除部材は、前記ハウジングに形成された挿し込み孔に挿抜されるロック解除片を有し、
前記ロック解除片は、前記挿し込み孔への挿入方向後方へ向かって次第に前記アダプタから離間する方向へ傾斜したテーパ部を有し、
前記ロック部材は、前記挿し込み孔へ挿入される前記ロック解除片のテーパ部が摺接することにより前記付勢部材の付勢力に抗して前記アダプタから離間する方向へ移動されて前記アダプタ内から退避されるものであることが好ましい。
【００１１】
本発明の光ローゼットにおいて、前記ロック部材は、付勢部材によって前記アダプタへ向かって付勢され、
前記ロック解除部材は、前記付勢部材の付勢力に抗して前記アダプタから離間する方向へ移動されて前記アダプタ内から退避された前記ロック部材に係合可能な係合部を有し、
前記ロック解除部材は、前記係合部が前記ロック部材に係合しない非係合位置と、前記係合部が前記ロック部材に係合する係合位置との間でスライド可能に前記ハウジングに支持されていることが好ましい。
【発明の効果】
【００１２】
本発明の光ローゼットによれば、アダプタの挿抜口から光コネクタを引き抜くと、ロック部材によって挿抜口に対する光コネクタの挿入が禁止される。光コネクタをアダプタの挿抜口へ挿入するためには、ロック解除部材によってロック機構のロック部材をアダプタ内から退避させることとなる。
したがって、ロック解除部材を光通信ネットワークの局側が管理することにより、ユーザ側で光コネクタを光ローゼットへ接続することを防ぐことができる。すなわち、光通信ネットワークの解約に伴ってアダプタの挿抜口から光コネクタを引き抜いたユーザが再び光ローゼットのアダプタの挿抜口へ光コネクタを挿入したり、光通信ネットワークへの未加入者が他の加入者の光ローゼットのアダプタの挿入口へ光コネクタを挿入して不正に光通信サービスを享受することを防止できる。
【図面の簡単な説明】
【００１３】
【図１】本発明の第１実施形態に係る光ローゼットの斜視図である。
【図２】図１の光ローゼットの抜け止め防止カバーを取り外した状態の斜視図である。
【図３】図１の光ローゼットの前方側における断面図である。
【図４】図１の光ローゼットの内部構造を示すハウジングの斜視図である。
【図５】図１の光ローゼットの内部構造を示すハウジングの斜視図である。
【図６】図１の光ローゼットの内部構造を示すハウジングの斜視図である。
【図７】図１の光ローゼットのロックピン部材及びロック解除部材の斜視図である。
【図８】図１の光ローゼットにロック解除部材を挿し込んだ状態の斜視図である。
【図９】図８の光ローゼットの前方側における断面図である。
【図１０】本発明の第２実施形態に係る光ローゼットの斜視図である。
【図１１】図１０の光ローゼットの抜け止め防止カバーを取り外した状態の斜視図である。
【図１２】図１０の光ローゼットの前方側における断面図である。
【図１３】図１０の光ローゼットの内部構造を示すハウジングの斜視図である。
【図１４】光ローゼットの内部構造を示すハウジングの斜視図である。
【図１５】図１０の光ローゼットの内部構造を示すハウジングの斜視図である。
【図１６】図１０の光ローゼットのロック解除部材の斜視図である。
【図１７】図１０の光ローゼットのロック解除部材を係合位置に配置させた状態の斜視図である。
【図１８】図１０の光ローゼットの前方側における断面図である。
【発明を実施するための形態】
【００１４】
以下、本発明に係る光ローゼットの実施の形態の例を、図面を参照して説明する。
（第１実施形態）
まず、本発明に係る光ローゼットの第１実施形態について説明する。
図１に示すように、第１実施形態に係る光ローゼット１０Ａは、ハウジング１１と、このハウジング１１の上部を覆うように装着される蓋体１２とを有している。この蓋体１２は、光通信ネットワークの局側で管理される特殊工具によってハウジング１１からの取り外しが可能である。
【００１５】
図１及び図２に示すように、この光ローゼット１０Ａには、前面側に光コネクタ挿抜部１３が設けられており、この光コネクタ挿抜部１３には、二つの挿抜口１４が設けられている。これらの挿抜口１４には、それぞれＳＣ（Single Coupling）コネクタ等からなるユーザ側光コネクタ１５が挿抜されるようになっている。
【００１６】
図１から図３に示すように、挿抜口１４には、防塵蓋１６が設けられ、挿抜口１４への塵埃の侵入が防止されている。この防塵蓋１６は、下端部が回動可能に連結され、この防塵蓋１６を連結箇所で回動させることにより、挿抜口１４が開閉される。これらの挿抜口１４が形成された光コネクタ挿抜部１３には、抜け止め防止カバー１７が装着され、挿抜口１４に挿入された光コネクタ１５が抜け止め防止カバー１７に係止されて抜け止めされるようになっている。
【００１７】
図４に示すように、ハウジング１１は、その内部が収容空間Ｓとして形成されている。ハウジング１１の底板１１ａには、複数のリブ２１が形成されており、これらのリブ２１によって、収容空間Ｓ内に、局側からの光ファイバケーブルの余長部分が収容可能な余長収容部２２が形成されている。局側からの光ファイバケーブルは、ハウジング１１の側壁に形成したケーブル導入口（図示省略）から収容空間Ｓ内へ引き込まれ、その余長部分が余長収容部２２に保持されて収容される。光ファイバケーブルを引き込むケーブル導入口は、光ローゼット１０Ａをユーザ宅へ設置する際に、局側の作業者が現場において、ハウジング１１の側壁に形成する。
【００１８】
局側の光ファイバケーブルは、ドロップケーブルと呼ばれるインドアケーブルであり、例えば、住宅の既設配管を通って、ユーザ宅の既設のコンセントまで通されている。この光ファイバケーブルを光ローゼット１０Ａに引き込むには、コンセントの横または下に小孔を形成し、この小孔から局側の光ファイバケーブルを部屋内へ引き出し、ハウジング１１に形成したケーブル導入口から導入する。なお、光ローゼット１０Ａは、壁のクロスの貼り替え時に邪魔になりにくいコンセントの横または下に隙間なく横付けして壁に固定する。したがって、ケーブル導入口の形成位置は、コンセントに対する光ローゼット１０Ａの配置によってハウジング１１の両側面の何れか、もしくは光コネクタ挿抜部１３と反対側の端面に形成することとなる。
【００１９】
また、収容空間Ｓには、光コネクタ挿抜部１３側に、各挿抜口１４と連通するアダプタ３１が設けられている。これらのアダプタ３１は、連結孔３４（図３参照）を有する断面視矩形状の筒状に形成されており、ハウジング１１に固定されたベース部３２に支持されている。ベース部３２は、上方へ突出する側壁３２ａを有しており、これらの側壁３２ａの間に形成された凹部３２ｂ（図５参照）に、アダプタ３１が嵌め込まれて保持されている。このアダプタ３１は、その連結孔３４の一端が挿抜口１４とされて光コネクタ挿抜部１３に配置されている。
【００２０】
アダプタ３１の他端側には、ＳＣコネクタ等からなる局側光コネクタ３５の先端部が挿し込まれている。この局側光コネクタ３５は、局側からの光ファイバケーブルの端部に接続されたものであり、ハウジング１１の収容空間Ｓ内に配置されて収容されている。
【００２１】
上記のアダプタ３１では、挿抜口１４にユーザ側光コネクタ１５が挿し込まれることにより、このユーザ側光コネクタ１５が収容空間Ｓ内に収容された局側光コネクタ３５と接続され、局側光コネクタ３５とユーザ側光コネクタ１５との間で光通信が可能な状態となる。
【００２２】
また、ハウジング１１には、それぞれのアダプタ３１の下方側に、ロック機構４１が設けられている。
図３及び図６に示すように、このロック機構４１は、ハウジング１１に形成された収容室４２を有しており、この収容室４２には、各アダプタ３１に対応するロックピン部材４３が上下方向へ移動可能に設けられている。収容室４２には、ロックピン部材４３とハウジング１１の底板１１ａとの間に、コイルバネ（付勢部材）４５が設けられ、このコイルバネ４５によって、ロックピン部材４３が上方のアダプタ３１側へ付勢されている。このコイルバネ４５には、ハウジング１１の底板１１ａに形成された突起部４４が挿入され、これにより、コイルバネ４５がハウジング１１の底板１１ａに支持されている。
【００２３】
図７に示すように、ロックピン部材４３には、その上端部に、上方へ突出するロックピン（ロック部材）４６が形成されており、このロックピン４６は、図３に示すようにアダプタ３１を支持するベース部３２に形成された孔部４７及びアダプタ３１の底板３１ａに形成された溝部３１ｂへ挿通されている。これにより、アダプタ３１の内部には、コイルバネ４５によって付勢されたロックピン部材４３のロックピン４６が突出される。この状態で挿抜口１４へユーザ側光コネクタ１５を挿入しようとすると、ユーザ側光コネクタ１５の先端部がロックピン４６に干渉する。つまり、挿抜口１４へのユーザ側光コネクタ１５の挿し込みが禁止されたロック状態となる。なお、アダプタ３１の底板３１ａに形成された溝部３１ｂとしては、ＳＣ（Single Coupling）アダプタにキー溝として設けられているものを利用することが好ましい。
【００２４】
また、ハウジング１１には、その前面側に、それぞれのアダプタ３１の下方側へわたって一対の挿し込み孔５１（図１，２，５参照）が形成されており、これらの挿し込み孔５１には、ロック解除部材５２のロック解除片５３が挿し込まれる。このロック解除部材５２は、把持部５４の端部に一対のロック解除片５３が形成されたものであり、ロック解除片５３の先端には、挿し込み孔５１への挿入方向後方へ向かって次第にアダプタ３１から離間する方向へ傾斜するテーパ部５５が形成されている。そして、このロック解除部材５２のロック解除片５３を挿し込み孔５１へ挿し込むと、このロック解除部材５２のそれぞれのロック解除片５３が、ロックピン部材４３の両側部に入り込む。なお、ロック解除部材５２は通常、光通信ネットワークの局側で管理される。
【００２５】
ロックピン部材４３には、その下端における両側部に、係合片部４８が形成されている。そして、図８に示すように、挿し込み孔５１にロック解除部材５２のロック解除片５３を挿し込むと、これらのロック解除片５３が係合片部４８の上方側へ入り込み、テーパ部５５が係合片部４８に摺接する。これにより、ロックピン部材４３がコイルバネ４５の付勢力に抗してアダプタ３１から離間する下方へ移動され、アダプタ３１内へ突出されていたロックピン４６がアダプタ３１内から退避される。これにより、挿抜口１４へのユーザ側光コネクタ１５の挿し込みが可能なロック解除状態となる。
【００２６】
次に、上記構造の光ローゼット１０Ａに対するユーザ側光コネクタ１５の挿抜の方法について説明する。
光ローゼット１０Ａにユーザ側光コネクタ１５を接続する場合、局側の作業者は、まず、抜け止め防止カバー１７を外し、光コネクタ挿抜部１３の挿抜口１４を露出させ、防塵蓋１６を回動させて挿抜口１４を開く。
【００２７】
この状態で、局側が管理しているロック解除部材５２を、ロック解除片５３のテーパ部５５が下方へ向くように把持部５４を把持してハウジング１１の挿し込み孔５１へ挿し込む。このようにすると、図９に示すように、テーパ部５５が係合片部４８に摺接し、ロックピン部材４３がコイルバネ４５の付勢力に抗して下方へ移動され、アダプタ３１内へ突出されていたロックピン４６がアダプタ３１内から退避されたロック解除状態となる。
【００２８】
次に、ユーザ側光コネクタ１５を挿抜口１４へ挿し込む。このようにすると、ユーザ側光コネクタ１５が光ローゼット１０Ａのアダプタ３１内に挿し込まれて、収容空間Ｓ内に配置された局側光コネクタ３５とユーザ側光コネクタ１５とが接続されて光通信が可能な状態となる。
【００２９】
このように、ユーザ側光コネクタ１５を接続したら、光コネクタ挿抜部１３に抜け止め防止カバー１７を装着する。すると、この抜け止め防止カバー１７によってユーザ側光コネクタ１５が係止され、このユーザ側光コネクタ１５の挿抜口１４からの抜け出しが防止される。
【００３０】
ユーザ側光コネクタ１５の接続後、ロック解除部材５２の把持部５４を把持してロック解除部材５２を手前へ引き、ロック解除片５３を挿し込み孔５１から引き抜く。すると、ロックピン部材４３がコイルバネ４５の付勢力によってアダプタ３１側へ移動する。このとき、アダプタ３１には、ユーザ側光コネクタ１５が挿し込まれているので、ロックピン４６は、アダプタ３１内のユーザ側光コネクタ１５に当接した状態となる。なお、挿し込み孔５１から引き抜いたロック解除部材５２は、ユーザ宅に置かずに局側の作業者が持ち帰る。
【００３１】
ＦＴＴＨの解約等によって光通信を解除する場合は、抜け止め防止カバー１７を外し、ユーザ側光コネクタ１５を光コネクタ挿抜部１３の挿抜口１４から引き抜く。これにより、局側光コネクタ３５とユーザ側光コネクタ１５とのアダプタ３１における接続が解除され、光通信が解除される。
【００３２】
すると、図３に示すように、ユーザ側光コネクタ１５がアダプタ３１から引き抜かれたことにより、コイルバネ４５によってアダプタ３１側へ付勢されているロックピン部材４３のロックピン４６が、アダプタ３１内へ突出されてロック状態となる。
【００３３】
そして、このロック状態となった光ローゼット１０Ａでは、その光コネクタ挿抜部１３の挿抜口１４へユーザ側光コネクタ１５を挿し込もうとしても、ユーザ側光コネクタ１５の先端部がアダプタ３１内に突出されているロックピン４６に干渉して、アダプタ３１へ挿し込むことによる局側光コネクタ３５との接続が禁止される。
【００３４】
上記の光通信の解除作業は、その作業手順を局側の作業者がユーザに伝達し、ユーザ自身に行わせても良い。その場合、光通信の解除作業後に、取り外したＯＮＵ等の光通信用の機器を局側へ送り返させる。
【００３５】
また、ＦＴＴＨの再契約等により光ローゼット１０Ａにユーザ側光コネクタ１５を接続する場合は、局側の作業者が、局側が管理しているロック解除部材５２によってロック機構４１をロック解除状態とし、ユーザ側光コネクタ１５を挿抜口１４へ挿し込んで抜け止め防止カバー１７を装着させる。その後、挿し込み孔５１からロック解除部材５２を引き抜き、このロック解除部材５２を持ち帰る。
【００３６】
なお、アダプタ３１の挿抜口１４に接続されているユーザ側光コネクタ１５が誤って引き抜かれても、ロック機構４１のロックピン４６がアダプタ３１内へ突出し、アダプタ３１の挿抜口１４へのユーザ側光コネクタ１５の接続が禁止されてしまう。しかし、光ローゼット１０Ａでは、アダプタ３１の挿抜口１４に接続されているユーザ側光コネクタ１５が、光コネクタ挿抜部１３に装着された抜け止め防止カバー１７によって係止されて抜け止めされているので、不用意にユーザ側光コネクタ１５が引き抜かれるような不具合を防止することができる。
【００３７】
このように、第１実施形態に係る光ローゼット１０Ａによれば、アダプタ３１の挿抜口１４からユーザ側光コネクタ１５を引き抜くと、ロック機構４１のロックピン４６によって挿抜口１４に対するユーザ側光コネクタ１５の挿入が禁止される。ユーザ側光コネクタ１５をアダプタ３１の挿抜口１４へ挿入するためには、ロック解除部材５２のロック解除片５３をハウジング１１の挿し込み孔５１へ挿し込んでロック機構４１のロックピン４６をアダプタ３１内から退避させることとなる。
【００３８】
したがって、ロック解除部材５２を光通信ネットワークの局側が管理することにより、光通信ネットワークの解約に伴ってアダプタ３１の挿抜口１４からユーザ側光コネクタ１５を引き抜いたユーザが再び光ローゼット１０Ａのアダプタ３１の挿抜口１４へユーザ側光コネクタ１５を挿入したり、光通信ネットワークへの未加入者が他の加入者の光ローゼット１０Ａのアダプタ３１の挿入口１４へユーザ側光コネクタ１５を挿入して不正に光通信サービスを享受することを防止できる。
【００３９】
なお、上記の光ローゼット１０Ａでは、それぞれのロック機構４１のロック状態を解除させるために、それぞれロック解除部材５２を用いて個別に動作させたが、一つのロック解除部材５２によって二つのロック機構４１を連動させて動作させる構造としても良い。
【００４０】
（第２実施形態）
次に、本発明に係る光ローゼットの第２実施形態について説明する。
図１０及び図１１に示すように、第２実施形態に係る光ローゼット１０Ｂは、ハウジング１１の前面側における一側部寄りに、光コネクタ挿抜部１３が設けられている。そして、この光コネクタ挿抜部１３に設けられた二つの挿抜口１４において、それぞれユーザ側光コネクタ１５が挿抜されるようになっている。
【００４１】
図１２及び図１３に示すように、ハウジング１１の収容空間Ｓにおける光コネクタ挿抜部１３側には、一端が各挿抜口１４と連通するアダプタ３１が設けられており、このアダプタ３１の他端側には、局側光コネクタ３５の先端部が挿し込まれている。
【００４２】
そして、挿抜口１４にユーザ側光コネクタ１５が挿し込まれることにより、このユーザ側光コネクタ１５がアダプタ３１において収容空間Ｓ内に収容された局側光コネクタ３５と接続され、局側光コネクタ３５とユーザ側光コネクタ１５との間で光通信が可能な状態となる。
【００４３】
また、光ローゼット１０Ｂにも、ハウジング１１におけるそれぞれのアダプタ３１の下方側に、ロック機構６１が設けられている。
図１２，図１４及び図１５に示すように、ロック機構６１は、上下方向へ移動可能に設けられたロックピン部材６３を有しており、これらのロックピン部材６３も第１実施形態と同様にコイルバネ４５によって上方のアダプタ３１側へ付勢されている。ロックピン部材６３にも、その上端部に、上方へ突出するロックピン６６が形成されており、このロックピン６６は、ベース部３２の孔部４７及びアダプタ３１の底板３１ａの溝部３１ｂへ挿通されている。これにより、このアダプタ３１の内部には、コイルバネ４５によって付勢されたロックピン部材６３のロックピン６６が突出される。したがって、挿抜口１４へのユーザ側光コネクタ１５の挿し込みが禁止されたロック状態となる。
【００４４】
また、ロック機構６１には、その上部に、ロック解除部材７１が設けられている。図１６に示すように、このロック解除部材７１は、ロックピン部材６３が挿通可能な開口部７２を有する板状に形成されており、このロック解除部材７１の一端側は、把持部７３として形成されている。
【００４５】
このロック解除部材７１は、ロックピン部材６３の移動方向と直交する方向へスライド可能にハウジング１１に支持されており、ロック解除部材７１をスライドさせることにより、ハウジング１１の一側部において、把持部７３が出没されるようになっている。また、ロック解除部材７１は、それぞれの開口部７２における把持部７３と反対側に、ロックピン部材６３のロックピン６６部分が挿通可能な幅寸法に形成された溝部からなる係合部７４が形成されている。さらに、このロック解除部材７１には、開口部７２同士の間における一側部側に切欠き部７５が形成されており、この切欠き部７５には、ハウジング１１に形成された移動規制ブロック部１１ｂが配置されている。
【００４６】
これにより、ロック解除部材７１は、開口部７２がロックピン部材６３の上方に配置されて係合部７４がロックピン部材６３に係合することなく、ロックピン部材６３が開口部７２へ挿入される非係合位置と、係合部７４がロックピン部材６３の上方に配置されてロックピン部材６３が係合され、ロックピン６６だけが係合部７４へ挿入される係合位置との間でスライドされる。
【００４７】
ロック解除部材７１が非係合位置に配置された状態では、ロックピン部材６３がロック解除部材７１の開口部７２へ入り込み、ロックピン６６がアダプタ３１内に突出される。これにより、挿抜口１４へのユーザ側光コネクタ１５の挿し込みが禁止されたロック状態となる。
【００４８】
また、ロック解除部材７１が係合位置に配置された状態では、ロックピン６６だけが係合部７４へ挿入され、ロックピン部材６３がロック解除部材７１によってコイルバネ４５の付勢力に抗して下方へ押し下げられた状態に配置され、アダプタ３１内からロックピン６６が退避される。これにより、挿抜口１４へのユーザ側光コネクタ１５の挿し込みが可能なロック解除状態となる。
【００４９】
なお、ロック解除部材７１の把持部７３は、ロック解除部材７１が非係合位置に配置されたロック状態でハウジング１１の側面と略面一とされ、ロック解除部材７１が係合位置に配置されたロック解除状態でハウジング１１の側面から突出される。そして、ロック解除部材７１が非係合位置に配置されて把持部７３がハウジング１１の側面と略同一面にされると、ロック解除部材７１の把持ができなくなり、把持部７３を把持してロック解除部材７１をスライドさせることができない状態となる。
【００５０】
次に、上記構造の光ローゼット１０Ｂに対するユーザ側光コネクタ１５の挿抜の方法について説明する。
光ローゼット１０Ｂにユーザ側光コネクタ１５を接続する場合、局側の作業者は、まず、抜け止め防止カバー１７を外し、光コネクタ挿抜部１３の挿抜口１４を露出させ、防塵蓋１６を回動させて挿抜口１４を開く。
【００５１】
また、局側で管理している特殊工具によって光ローゼット１０Ｂの蓋体１２を取り外し、アダプタ３１を外してロックピン６６を押し込む。この状態において、ロック解除部材７１をハウジング１１の側方へ引き出して係合位置に配置させてアダプタ３１内からロックピン６６が退避されたロック解除状態とする。そして、アダプタ３１をベース部３２に取り付け、蓋体１２をハウジング１１に装着する。
【００５２】
このようにすると、図１７に示すように、ロック解除部材７１が係合位置に配置されて把持部７３がハウジング１１の側面から突出された状態となる。また、図１８に示すように、ロック解除部材７１によってロックピン６６がアダプタ３１内から退避されたロック解除状態とされ、挿抜口１４からアダプタ３１へユーザ側光コネクタ１５を挿入して局側光コネクタ３５へ接続することが可能となる。
【００５３】
次に、ユーザ側光コネクタ１５を挿抜口１４へ挿し込む。このようにすると、ユーザ側光コネクタ１５が光ローゼット１０Ｂ内のアダプタ３１内に挿し込まれ、よって、収容空間Ｓ内に配置された局側光コネクタ３５とユーザ側光コネクタ１５とが接続されて光通信が可能な状態となる。
【００５４】
このように、ユーザ側光コネクタ１５を接続したら、光コネクタ挿抜部１３に抜け止め防止カバー１７を装着する。すると、この抜け止め防止カバー１７によってユーザ側光コネクタ１５が係止され、このユーザ側光コネクタ１５の挿抜口１４からの抜け出しが防止される。
【００５５】
また、ユーザ側光コネクタ１５の接続後、ハウジング１１の側部から突出されているロック解除部材７１の把持部７３を押し込む。すると、ロック解除部材７１が非係合位置に配置され、ロックピン部材６３の上部にロック解除部材７１の開口部７２が配置され、コイルバネ４５の付勢力によってロックピン部材６３が開口部７２内へ移動する。このとき、アダプタ３１には、ユーザ側光コネクタ１５が挿し込まれているので、ロックピン６６は、アダプタ３１内のユーザ側光コネクタ１５に当接した状態となる。また、ロック解除部材７１を押し込むと、ロック解除部材７１の把持部７３がハウジング１１の側面と同一面に配置される。したがって、その後にロック解除部材７１を把持してスライドさせることができない状態となる。
【００５６】
ＦＴＴＨの解約等によって光通信を解除する場合は、抜け止め防止カバー１７を外し、ユーザ側光コネクタ１５を光コネクタ挿抜部１３の挿抜口１４から引き抜く。これにより、局側光コネクタ３５とユーザ側光コネクタ１５とのアダプタ３１における接続が解除され、光通信が解除される。
【００５７】
すると、図１２に示すように、ユーザ側光コネクタ１５がアダプタ３１から引き抜かれたことにより、コイルバネ４５によってアダプタ３１側へ付勢されているロックピン部材６３のロックピン６６が、アダプタ３１内へ突出されてロック状態となる。
【００５８】
そして、このロック状態となった光ローゼット１０Ｂでは、その光コネクタ挿抜部１３の挿抜口１４へユーザ側光コネクタ１５を挿し込もうとすると、ユーザ側光コネクタ１５の先端部がアダプタ３１内に突出されているロックピン６６に干渉し、よって、アダプタ３１へ挿し込むことによる局側光コネクタ３５との接続が禁止される。
【００５９】
上記の光通信の解除作業は、その作業手順を局側の作業者がユーザに伝達し、ユーザ自身に行わせても良い。その場合、光通信の解除作業後に、取り外したＯＮＵ等の光通信用の機器を局側へ送り返させる。
【００６０】
なお、再度光通信を行うべく、ユーザ側光コネクタ１５の局側光コネクタ３５への接続を可能とするには、前述したように、局側の作業者が光ローゼット１０Ｂの蓋体１２を、特殊工具を用いて取り外し、アダプタ３１を外してロックピン６６を押し込む。この状態において、ロック解除部材７１をハウジング１１の側方へ引き出してアダプタ３１をベース部３２に取り付け、蓋体１２をハウジング１１に装着する。
【００６１】
このようにすると、ロック解除部材７１が係合位置に配置されてアダプタ３１内からロックピン６６が退避されたロック解除状態とされ、挿抜口１４からアダプタ３１へユーザ側光コネクタ１５を挿入して局側光コネクタ３５へ接続することが可能となる。したがって、この状態で、ユーザ側光コネクタ１５を挿抜口１４へ挿し込むことにより、局側光コネクタ３５とユーザ側光コネクタ１５とが接続されて光通信が可能な状態となる。その後、光コネクタ挿抜部１３に抜け止め防止カバー１７を装着し、ハウジング１１の側部から突出されているロック解除部材７１の把持部７３を押し込む。
【００６２】
このように、第２実施形態に係る光ローゼット１０Ｂによれば、アダプタ３１の挿抜口１４からユーザ側光コネクタ１５を引き抜くと、ロック機構６１のロックピン６６によって挿抜口１４に対するユーザ側光コネクタ１５の挿入が禁止される。ユーザ側光コネクタ１５をアダプタ３１の挿抜口１４へ挿入するためには、蓋体１２を取り外してロック解除部材７１をスライドさせてロック機構６１のロックピン６６をアダプタ３１内から退避させることとなる。
【００６３】
したがって、蓋体１２の取り外しのための特殊工具を光通信ネットワークの局側が管理することにより、光通信ネットワークの解約に伴ってアダプタ３１の挿抜口１４からユーザ側光コネクタ１５を引き抜いたユーザが再び光ローゼット１０Ｂのアダプタ３１の挿抜口１４へユーザ側光コネクタ１５を挿入したり、光通信ネットワークへの未加入者が他の加入者の光ローゼット１０Ｂのアダプタ３１の挿入口１４へユーザ側光コネクタ１５を挿入して不正に光通信サービスを享受することを防止できる。
【００６４】
また、上記の光ローゼット１０Ｂでは、一つのロック解除部材７１のスライド動作によって二つのロック機構４１を連動させて動作させることができ、操作の容易化を図ることができる。
【００６５】
なお、上記第１，第２実施形態では、２つの挿抜口１４を有するものを例示したが、挿抜口１４の数は、２つに限らず、１つであっても良く、また、３つ以上であっても良い。また、ロック機構４１，６１においてロックピン４６，６６をアダプタ３１内へ出没させる構造としたが、シャッターをアダプタ３１内に出没させる構造としても良い。
【符号の説明】
【００６６】
１０Ａ，１０Ｂ：光ローゼット、１１：ハウジング、１４：挿抜口、１５：ユーザ側光コネクタ（光コネクタ）、３１：アダプタ、４１，６１：ロック機構、４５：コイルバネ（付勢部材）、４６，６６：ロックピン（ロック部材）、５１：挿し込み孔、５２，７１：ロック解除部材、５３：ロック解除片、５５：テーパ部、７１：ロック解除部材、７４：係合部
【図１】
2012185366.tif 000003
【図２】
2012185366.tif 000004
【図３】
2012185366.tif 000005
【図４】
2012185366.tif 000006
【図５】
2012185366.tif 000007
【図６】
2012185366.tif 000008
【図７】
2012185366.tif 000009
【図８】
2012185366.tif 000010
【図９】
2012185366.tif 000011
【図１０】
2012185366.tif 000012
【図１１】
2012185366.tif 000013
【図１２】
2012185366.tif 000014
【図１３】
2012185366.tif 000015
【図１４】
2012185366.tif 000016
【図１５】
2012185366.tif 000017
【図１６】
2012185366.tif 000018
【図１７】
2012185366.tif 000019
【図１８】
2012185366.tif 000020